【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
被写体を透過した放射線の照射線量に応じた信号を有する放射線画像に対し、診断に適した画像を得るための画像処理を行う画像処理方法であって、
前記放射線画像のエッジ領域のコントラストを特徴量として算出する特徴量算出ステップと、
前記特徴量算出ステップで算出された特徴量を特徴量評価関数により評価する特徴量評価ステップと、
前記特徴量評価ステップで評価された前記特徴量の評価結果に基づいて画像処理のパラメータを決定するパラメータ決定ステップと、
前記パラメータ決定ステップで決定された前記パラメータにより画像処理を実行する画像処理ステップと、
を有することを特徴とする画像処理方法。
【請求項２】
前記画像処理ステップで実行される画像処理は階調処理であり、
前記特徴量評価ステップは、画像処理としての階調処理における階調処理条件を参照して、前記特徴量評価関数により前記特徴量の評価を行う、
ことを特徴とする請求項１記載の画像処理方法。
【請求項３】
前記特徴量評価ステップで評価された前記特徴量の評価結果としての特徴量評価関数の出力が最大あるいは最小になる状態を用いて、前記パラメータ決定ステップで画像処理のパラメータを決定する、
ことを特徴とする請求項１または請求項２のいずれかに記載の画像処理方法。
【請求項４】
前記特徴量算出ステップで得られる放射線画像の特徴量は、画像全体あるいは画像の一部の統計量に基づいた特徴量であり、
前記特徴量評価関数は、１以上の変数によりパラメータライズされた変換方法により前記放射線画像を変換した際の特徴量の変化に基づいて決定される、
ことを特徴とする請求項３記載の画像処理方法。
【請求項５】
前記特徴量は、エッジ検出処理により決定された前記画像全体あるいは前記画像の一部の領域あるいは診断上重要となる関心領域における統計量に基づいた特徴量である、
ことを特徴とする請求項４記載の画像処理方法。
【請求項６】
前記特徴量は、関心領域設定処理により決定された前記画像全体あるいは前記画像の一部の領域あるいは診断上重要となる関心領域における統計量に基づいた特徴量である、
ことを特徴とする請求項４記載の画像処理方法。
【請求項７】
前記エッジ検出処理は、ウェーブレット変換が使用される、
ことを特徴とする請求項５記載の画像処理方法。
【請求項８】
前記エッジ検出処理は、ガウス−ラプラシアンピラミッド変換が使用される、
ことを特徴とする請求項５記載の画像処理方法。
【請求項９】
被写体を透過した放射線の照射線量に応じた信号を有する放射線画像に対し、診断に適した画像を得るための画像処理を行う画像処理装置であって、
前記放射線画像のエッジ領域コントラストを特徴量として算出する特徴量算出手段と、
前記特徴量算出手段で算出された特徴量を特徴量評価関数により評価する特徴量評価手段と、
前記特徴量評価手段で評価された前記特徴量の評価結果に基づいて画像処理のパラメータを決定するパラメータ決定手段と、
前記パラメータ決定手段で決定された前記パラメータにより画像処理を実行する画像処理手段と、
を有することを特徴とする画像処理装置。
【請求項１０】
前記画像処理手段で実行される画像処理は階調処理であり、
前記特徴量評価手段は、画像処理としての階調処理における階調処理条件を参照して、前記特徴量評価関数により前記特徴量の評価を行う、
ことを特徴とする請求項９記載の画像処理装置。
【請求項１１】
前記特徴量評価手段で評価された前記特徴量の評価結果としての特徴量評価関数の出力
が最大あるいは最小になる状態を用いて、前記パラメータ決定手段で画像処理のパラメータを決定する、
ことを特徴とする請求項９または請求項１０のいずれかに記載の画像処理装置。
【請求項１２】
前記特徴量算出手段で得られる放射線画像の特徴量は、画像全体あるいは画像の一部の統計量に基づいた特徴量であり、
前記特徴量評価関数は、１以上の変数によりパラメータライズされた変換方法により前記放射線画像を変換した際の特徴量の変化に基づいて決定される、
ことを特徴とする請求項１１記載の画像処理装置。
【請求項１３】
前記特徴量は、エッジ検出処理により決定された前記画像全体あるいは前記画像の一部の領域あるいは診断上重要となる関心領域における統計量に基づいた特徴量である、
ことを特徴とする請求項４記載の画像処理装置。
【請求項１４】
前記特徴量は、関心領域設定処理により決定された前記画像全体あるいは前記画像の一部の領域あるいは診断上重要となる関心領域における統計量に基づいた特徴量である、
ことを特徴とする請求項４記載の画像処理装置。
【請求項１５】
前記エッジ検出処理は、ウェーブレット変換が使用される、
ことを特徴とする請求項１３記載の画像処理装置。
【請求項１６】
前記エッジ検出処理は、ガウス−ラプラシアンピラミッド変換が使用される、
ことを特徴とする請求項１３記載の画像処理装置。
【請求項１７】
コンピュータを、請求項９から請求項１６のいずれか１項に記載の画像処理装置の各手段として機能させる、
ことを特徴とする画像処理プログラム。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】変更
【補正の内容】
【００３３】
（５）請求項５記載の発明は、前記領域がエッジ検出処理により決定される、ことを特徴とする請求項４記載の画像処理方法である。
【手続補正１３】
【補正対象書類名】明細書
【補正対象項目名】００３４
【補正方法】変更
【補正の内容】
【００３４】
（６）請求項６記載の発明は、前記領域が関心領域設定処理により決定される、ことを特徴とする請求項４記載の画像処理方法である。
【手続補正１４】
【補正対象書類名】明細書
【補正対象項目名】００３５
【補正方法】変更
【補正の内容】
【００３５】
（７）請求項７記載の発明は、前記エッジ検出処理は、ウェーブレット変換が使用される、ことを特徴とする請求項５記載の画像処理方法である。
【手続補正１５】
【補正対象書類名】明細書
【補正対象項目名】００３６
【補正方法】変更
【補正の内容】
【００３６】
（８）請求項８記載の発明は、前記エッジ検出処理は、ガウス−ラプラシアンピラミッド変換が使用される、ことを特徴とする請求項５記載の画像処理方法である。
【手続補正１６】
【補正対象書類名】明細書
【補正対象項目名】００３７
【補正方法】変更
【補正の内容】
【００３７】
（９）請求項９記載の発明は、被写体を透過した放射線の照射線量に応じた信号を有する放射線画像に対し、診断に適した画像を得るための画像処理を行う画像処理装置であって、前記放射線画像の特徴量を算出する特徴量算出手段と、前記特徴量算出手段で算出された特徴量を特徴量評価関数により評価する特徴量評価手段と、前記特徴量評価手段で評価された前記特徴量の評価結果に基づいて画像処理のパラメータを決定するパラメータ決定手段と、前記パラメータ決定手段で決定された前記パラメータにより画像処理を実行する画像処理手段と、を有することを特徴とする画像処理装置である。
【手続補正１７】
【補正対象書類名】明細書
【補正対象項目名】００３８
【補正方法】変更
【補正の内容】
【００３８】
（１０）請求項１０記載の発明は、前記画像処理手段で実行される画像処理は階調処理であり、前記特徴量評価手段は、画像処理としての階調処理における階調処理条件を参照して、前記特徴量評価関数により前記特徴量の評価を行う、ことを特徴とする請求項９記載の画像処理装置である。
【手続補正１８】
【補正対象書類名】明細書
【補正対象項目名】００３９
【補正方法】変更
【補正の内容】
【００３９】
（１１）請求項１１記載の発明は、前記特徴量評価手段で評価された前記特徴量の評価結果としての特徴量評価関数の出力が最大あるいは最小になる状態を用いて、前記パラメータ決定手段で画像処理のパラメータを決定する、ことを特徴とする請求項９または請求項１０のいずれかに記載の画像処理装置である。
【手続補正１９】
【補正対象書類名】明細書
【補正対象項目名】００４０
【補正方法】変更
【補正の内容】
【００４０】
（１２）請求項１２記載の発明は、前記特徴量算出手段で得られる放射線画像の特徴量は、画像全体あるいは画像の一部の統計量に基づいた特徴量であり、前記特徴量評価関数は、１以上の変数によりパラメータライズされた変換方法により前記放射線画像を変換した際の特徴量の変化に基づいて決定される、ことを特徴とする請求項１１記載の画像処理装置である。
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】削除
【補正の内容】
【手続補正２２】
【補正対象書類名】明細書
【補正対象項目名】００４３
【補正方法】削除
【補正の内容】
【手続補正２３】
【補正対象書類名】明細書
【補正対象項目名】００４４
【補正方法】削除
【補正の内容】
【手続補正２４】
【補正対象書類名】明細書
【補正対象項目名】００４５
【補正方法】削除
【補正の内容】
【手続補正２５】
【補正対象書類名】明細書
【補正対象項目名】００４６
【補正方法】削除
【補正の内容】
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】削除
【補正の内容】
【手続補正２８】
【補正対象書類名】明細書
【補正対象項目名】００４９
【補正方法】削除
【補正の内容】
【手続補正２９】
【補正対象書類名】明細書
【補正対象項目名】００５０
【補正方法】削除
【補正の内容】
【手続補正３０】
【補正対象書類名】明細書
【補正対象項目名】００５１
【補正方法】変更
【補正の内容】
【００５１】
（１３）請求項１３記載の発明は、前記領域がエッジ検出処理により決定される、ことを特徴とする請求項４記載の画像処理装置である。
【手続補正３１】
【補正対象書類名】明細書
【補正対象項目名】００５２
【補正方法】変更
【補正の内容】
【００５２】
（１４）請求項１４記載の発明は、前記領域が関心領域設定処理により決定される、ことを特徴とする請求項４記載の画像処理装置である。
【手続補正３２】
【補正対象書類名】明細書
【補正対象項目名】００５３
【補正方法】変更
【補正の内容】
【００５３】
（１５）請求項１５記載の発明は、前記エッジ検出処理は、ウェーブレット変換が使用される、ことを特徴とする請求項１３記載の画像処理装置である。
【手続補正３３】
【補正対象書類名】明細書
【補正対象項目名】００５４
【補正方法】変更
【補正の内容】
【００５４】
（１６）請求項１６記載の発明は、前記エッジ検出処理は、ガウス−ラプラシアンピラミッド変換が使用される、ことを特徴とする請求項１３記載の画像処理装置である。
【手続補正３４】
【補正対象書類名】明細書
【補正対象項目名】００５５
【補正方法】変更
【補正の内容】
【００５５】
（１７）請求項１７記載の発明は、被写体を透過した放射線の照射線量に応じた信号を有する放射線画像に対し、診断に適した画像を得るための画像処理を行う画像処理プログラムであって、前記放射線画像の特徴量を算出する特徴量算出ルーチンと、前記特徴量算出ルーチンで算出された特徴量を特徴量評価関数により評価する特徴量評価ルーチンと、前記特徴量評価ルーチンで評価された前記特徴量の評価結果に基づいて画像処理のパラメータを決定するパラメータ決定ルーチンと、前記パラメータ決定ルーチンで決定された前記パラメータにより画像処理を実行する画像処理ルーチンと、を有することを特徴とする画像処理プログラムである。
【手続補正３５】
【補正対象書類名】明細書
【補正対象項目名】００５６
【補正方法】削除
【補正の内容】
【手続補正３６】
【補正対象書類名】明細書
【補正対象項目名】００５７
【補正方法】削除
【補正の内容】
【手続補正３７】
【補正対象書類名】明細書
【補正対象項目名】００５８
【補正方法】削除
【補正の内容】
【手続補正３８】
【補正対象書類名】明細書
【補正対象項目名】００５９
【補正方法】削除
【補正の内容】
【手続補正３９】
【補正対象書類名】明細書
【補正対象項目名】００６０
【補正方法】削除
【補正の内容】
【手続補正４０】
【補正対象書類名】明細書
【補正対象項目名】００６１
【補正方法】削除
【補正の内容】
【手続補正４１】
【補正対象書類名】明細書
【補正対象項目名】００６２
【補正方法】削除
【補正の内容】
【手続補正４２】
【補正対象書類名】明細書
【補正対象項目名】００６３
【補正方法】削除
【補正の内容】
【手続補正４３】
【補正対象書類名】明細書
【補正対象項目名】００６４
【補正方法】削除
【補正の内容】
【手続補正４４】
【補正対象書類名】明細書
【補正対象項目名】００６５
【補正方法】削除
【補正の内容】
【手続補正４５】
【補正対象書類名】明細書
【補正対象項目名】００６６
【補正方法】削除
【補正の内容】
【手続補正４６】
【補正対象書類名】明細書
【補正対象項目名】００６７
【補正方法】削除
【補正の内容】
【手続補正４７】
【補正対象書類名】明細書
【補正対象項目名】００６８
【補正方法】削除
【補正の内容】
【手続補正４８】
【補正対象書類名】明細書
【補正対象項目名】００６９
【補正方法】削除
【補正の内容】
【手続補正４９】
【補正対象書類名】明細書
【補正対象項目名】００７０
【補正方法】削除
【補正の内容】
【手続補正５０】
【補正対象書類名】明細書
【補正対象項目名】００７１
【補正方法】削除
【補正の内容】
【手続補正５１】
【補正対象書類名】明細書
【補正対象項目名】００７２
【補正方法】削除
【補正の内容】